(57)【要約】【課題】低コスト化を図ることができる電磁弁を提供する。【解決手段】コア２３上部の収容空間２４にプランジャ２５を上下動自在に収容し、プランジャ２５をコップ状に形成する。上方に開口した挿入部３３に、非磁性体からなるガイド部材３４を介して、磁性体からなるヨーク３５の磁気受渡部３６を挿入する。ガイド部材３４に、プランジャ２５の内周面に摺接するガイド部４１と、ガイド部４１より大径の大径部４２を形成し、ガイド部４１と大径部４２間に外方へ延出してプランジャ２５の上動を規制するストッパ部５１を一体形成する。前記ヨーク３５の磁気受渡部３６に対向したプランジャ２５の内側面に対向面６２を設定し、ソレノイド１６で励磁されたヨーク３５からガイド部材３４及び対向面６２を介してプランジャ２５へ磁気の受け渡しを行う。【選択図】        図１
2004324719.tif 000002
【特許請求の範囲】
【請求項１】
収容空間に移動自在に収容されたプランジャと、該プランジャへ磁気を受け渡す磁気受渡部が設けられたヨークとを備えた電磁弁において、
前記プランジャの端面に、前記ヨークの前記磁気受渡部が挿入される挿入部を設け、前記磁気受渡部に対向する対向面を、前記挿入部の内側面に設定する一方、
前記ヨークと前記プランジャとの間に、当該プランジャをガイドする筒状のガイド部材を配設するとともに、該ガイド部材に、前記プランジャの端部に当接して移動を規制する外方へ延出したストッパ部を一体形成したことを特徴とする電磁弁。
【請求項２】
収容空間に移動自在に収容されたプランジャと、該プランジャへ磁気を受け渡す磁気受渡部が設けられたヨークとを備えた電磁弁において、
前記プランジャの端面に、前記ヨークの前記磁気受渡部が挿入される挿入部を設け、前記磁気受渡部に対向する対向面を、前記挿入部の内側面に設定する一方、
前記プランジャの外周部に、当該プランジャをガイドする筒状のガイド部材を配設するとともに、該ガイド部材に、前記プランジャの端部に当接して移動を規制する内方へ延出したストッパ部を一体形成したことを特徴とする電磁弁。
【発明の詳細な説明】
【０００１】
【発明の属する技術分野】
本発明は、例えば油圧を制御する電磁弁に関する。
【０００２】
【従来の技術】
従来、油圧回路にて油圧を制御する際には、図３に示すように、電磁弁８０１が用いられていた。
【０００３】
この電磁弁８０１のソレノイド８１１のボビン８１２下部には、コア８１３が内嵌されており、該コア８１３上部の収容空間内には、円筒状のガイド部材８１４を介してプランジャ８１５が上下動自在に収容されている。前記ボビン８１２の上端部には、磁気回路を構成するヨーク８１６の磁気受渡部８１７が内嵌されており、このヨーク８１６の鍔部８１８は、前記ボビン８１２上に配置されている。前記鍔部８１８上には、前記プランジャ８１５の抜けを阻止するストッパ部材８１９が積層されており、該ストッパ部材８１９は、周縁部がケーシング８２１に固定されている。
【０００４】
【発明が解決しようとする課題】
しかしながら、このような電磁弁８０１にあっては、プランジャ８１５を滑らかに摺動させるためのガイド部材８１４と、プランジャ８１５の上方への移動を制限してストロークを規制するストッパ部材８１９とが別部材で構成されており、低コスト化の阻害要因となっていた。
【０００５】
本発明は、このような従来の課題に鑑みてなされたものであり、低コスト化を図ることができる電磁弁を提供することを目的とするものである。
【０００６】
【課題を解決するための手段】
前記課題を解決するために本発明の請求項１の電磁弁にあっては、収容空間に移動自在に収容されたプランジャと、該プランジャへ磁気を受け渡す磁気受渡部が設けられたヨークとを備えた電磁弁において、前記プランジャの端面に、前記ヨークの前記磁気受渡部が挿入される挿入部を設け、前記磁気受渡部に対向する対向面を、前記挿入部の内側面に設定する一方、前記ヨークと前記プランジャとの間に、当該プランジャをガイドする筒状のガイド部材を配設するとともに、該ガイド部材に、前記プランジャの端部に当接して移動を規制する外方へ延出したストッパ部を一体形成した。
【０００７】
すなわち、ヨークとプランジャ間に設けられたガイド部材には、外方へ延出するストッパ部が一体形成されており、このストッパ部がプランジャの端部に当接することで移動を規制することができる。
【０００８】
このため、プランジャをガイドするガイド部材と、プランジャの移動を規制するストッパ部材とが別部材で構成された場合と比較して、部品点数が削減される。これにより、低コスト化が図られるとともに、組み付け作業も容易に行われる。
【０００９】
そして、前記プランジャへ磁気を受け渡すヨークの磁気受渡部は、プランジャ端面に設けられた挿入部内へ挿入されており、前記磁気受渡部に対向する対向面が前記挿入部の内側面に設定されている。
【００１０】
このため、前記プランジャへの磁気の受け渡しは、該プランジャ内部の対向面にて行われる。
【００１１】
また、本発明の請求項２の電磁弁にあっては、収容空間に移動自在に収容されたプランジャと、該プランジャへ磁気を受け渡す磁気受渡部が設けられたヨークとを備えた電磁弁において、前記プランジャの端面に、前記ヨークの前記磁気受渡部が挿入される挿入部を設け、前記磁気受渡部に対向する対向面を、前記挿入部の内側面に設定する一方、前記プランジャの外周部に、当該プランジャをガイドする筒状のガイド部材を配設するとともに、該ガイド部材に、前記プランジャの端部に当接して移動を規制する内方へ延出したストッパ部を一体形成した。
【００１２】
すなわち、ヨークとプランジャ間に設けられたガイド部材には、内方へ延出するストッパ部が一体形成されており、このストッパ部がプランジャの端部に当接することで移動を規制することができる。
【００１３】
このため、プランジャをガイドするガイド部材と、プランジャの移動を規制するストッパ部材とが別部材で構成された場合と比較して、部品点数が削減される。これにより、低コスト化が図られるとともに、組み付け作業も容易に行われる。
【００１４】
そして、前記プランジャへ磁気を受け渡すヨークの磁気受渡部は、プランジャ端面に設けられた挿入部内へ挿入されており、前記磁気受渡部に対向する対向面が前記挿入部の内側面に設定されている。
【００１５】
このため、前記プランジャへの磁気の受け渡しは、該プランジャ内部の対向面にて行われる。
【００１６】
【発明の実施の形態】
（第１の実施の形態）
【００１７】
以下、本発明の第１の実施の形態を図に従って説明する。図１は、本実施の形態に係る電磁弁１を示す図であり、この電磁弁１は、油圧回路における油圧を制御するものである。
【００１８】
この電磁弁１は、円筒状のカバー１１を備えてなり、該カバー１１内には、樹脂成型品１２が収容されている。該樹脂成型品１２は、前記カバー１１内に収容されたボビン１３と、前記カバー１１より突出したノズル部１４とからなり、前記ボビン１３には、コイル１５が巻回されソレノイド１６が形成されている。
【００１９】
前記ボビン１３の下端面には、円板状部材２１が積層されており、該円板状部材２１の周縁に前記カバー１１の端部がカシメられ固定されている。前記円板状部材２１の中央穴２２には、前記ソレノイド１６で励磁されるコア２３の下端部が内嵌されており、当該コア２３は、前記ボビン１３の下部に挿入された状態で配設されている。このコア２３の上部に形成された収容空間２４には、励磁されたコア２３に吸着されるプランジャ２５が上下動自在に収容されており、該プランジャ２５から延出したロッド２６の大径部２７は、前記コア２３を挿通している。
【００２０】
前記プランジャ２５は、磁性体によって上方に開口した中空状に形成されており、円筒状の側壁部３１と、その下端を閉鎖する円板状の底部３２とによってコップ状に形成されている。このプランジャ２５の底部３２には、前記ロッド２６が設けられており、上方に開口した挿入部３３には、非磁性体からなるガイド部材３４を介して、磁性体からなるヨーク３５の磁気受渡部３６が挿入されている。
【００２１】
前記ガイド部材３４には、前記プランジャ２５の前記挿入部３３へ挿入された状態で当該プランジャ２５の内周面に摺接する有底円筒状のガイド部４１が形成されており、このガイド部４１によって前記プランジャ２５を上下方向へ案内できるように構成されている。また、前記ガイド部材３４には、前記ガイド部４１より大径の大径部４２が形成されており、該大径部４２は、前記ボビン１３に内嵌した状態で保持されている。
【００２２】
前記ガイド部４１と前記大径部４２との間には、前記ガイド部４１より外方へ延出する段差が形成されており、この段差によって当該ガイド部材３４には、上動するプランジャ２５の端部が当接した際に当該プランジャ２５の上動を規制するとともに、前記ヨーク３５への磁着を防止するストッパ部５１が一体形成されている。前記大径部４２の端部には、外方に延出するフランジ５２が一体形成されており、当該ガイド部材３４は、このフランジ５２が前記ボビン１３の端面に積層された状態で位置決めされている。
【００２３】
前記ヨーク３５は、前記ガイド部材３４の前記フランジ５２を介して前記ソレノイド１３上に配置されたリング板状の基部６１と、該基部６１内縁より下方に延出する有底円筒状の前記磁気受渡部３６とによって構成されている。この磁気受渡部３６に対向した前記プランジャ２５の側壁部３１の内側面には、対向面６２が設定されており、前記ソレノイド１６で励磁された前記ヨーク３５からは、前記ガイド部材３４及び前記対向面６２を介して、前記プランジャ２５へ磁気の受け渡しが行われるように構成されている。
【００２４】
このヨーク３５の先端部７１には、前記ガイド部材３４側の空間を外部に連通する連通穴７２が開設されており、当該先端部７２と前記プランジャ２５の底部３２との磁気の受け渡しの低減が図られている。また、前記ヨーク３５の前記基部６１の周縁には、前記カバー１１の端部がカシメられており、当該ヨーク３５が前記カバー１１に固定されている。
【００２５】
前記プランジャ２５より延出した前記ロッド２６の大径部２７は、前記コア２３を挿通して第１弁室８１に達するように構成されており、この大径部２７の端面は、前記ノズル部１４にインサート成形された第１シート８２の第１シート穴８３を開閉する第１弁部８４を構成している。これにより、前記第１シート穴８３からの油圧をドレンポート８５から排出できるように構成されている。
【００２６】
前記大径部２７より延出した前記ロッド２６の小径部９１は、連通孔９２及びノズル部１４にインサート成形された第２シート９３の第２シート穴９４を挿通して第２弁室９５に達するように構成されており、この小径部９１の端面は、前記第２シート穴９３を閉鎖するボール弁９６を押圧できるように構成されている。
【００２７】
これにより、前記ソレノイド１６が非通電のプランジャ非作動時には、元圧を受けたボール弁９６が前記第２シート９３の第２シート穴９４を閉鎖するとともに、前記ボール弁９６で押圧された前記ロッド２６の第１弁部８４が前記第１シート８２の第１シート穴８３を開放し、油圧の入力ポート１０１からの入力を阻止しつつ、出力ポート１０２の油圧をドレンポート８５から排出できるように構成されている。
【００２８】
また、前記ソレノイド１６が通電されたプランジャ作動時には、元圧を受けたボール弁９６を前記ロッド２６で押圧して前記第２シート９３の第２シート穴９４を開放するとともに、前記第１弁部８４で前記第１シート８２の第１シート穴８３を閉鎖し、入力ポート１０１からの油圧を出力ポート１０２から出力できるように構成されている。
【００２９】
以上の構成にかかる本実施の形態において、ヨーク３５とプランジャ２５間に設けられたガイド部材３４には、プランジャ２５をガイドするガイド部４１と外方へ延出するストッパ部５１とが一体形成されており、このストッパ部５１がプランジャ２５の端部に当接することで当該プランジャ２５の上動を規制することができる。
【００３０】
このため、プランジャ２５をガイドするガイド部材と、プランジャ２５の上動を規制するストッパ部材とが別部材で構成された場合と比較して、部品点数を削減することができ、低コスト化を図ることができる。また、組み付け部品の減少に伴って組み付け作業性を向上することができる。
【００３１】
そして、前記プランジャ２５へ磁気を受け渡すヨーク３５の磁気受渡部３６は、プランジャ２５に設けられた上方開口状の挿入部３３内へ挿入されており、この磁気受渡部３６に対向する対向面６２が前記挿入部３３を構成する前記プランジャ２５の側壁部３１の内側面に設定されている。これにより、前記プランジャ２５への磁気の受け渡しを、当該プランジャ２５内部の前記対向面６２にて行うことができる。
【００３２】
このため、ヨークの磁気受渡部がプランジャの外周部に設けられた電磁弁と比較して、直径を縮径することができる。また、磁気受渡部が設けられたヨークをソレノイドのボビン上に配置して縮径化はしたものの、ボビン上に配置されたヨークを所定の肉厚以上に設定しなければならなかった電磁弁と比較して、磁気吸引力を落とさずに高さ寸法を小さくすることができる。
したがって、プランジャ２５内部を有効利用しつつ、電磁弁１の小型化を図ることができる。
【００３３】
そして、前記プランジャ２５を上端側に開口する中空状に形成することで、上端面に前記ヨーク３５の磁気受渡部３６が挿入される挿入部３３を形成することができる。
【００３４】
これにより、プランジャ２５構造の簡素化を図ることができるとともに、上下作動するプランジャ２５の軽量化を図ることができる。
【００３５】
【００３６】
（第２の実施の形態）
【００３７】
図２には、本発明の第２の実施の形態を示す図であり、第１の実施の形態と同一又は同等の部分に付いては同符号を付して説明を割愛し、異なる部分についてのみ説明する。
【００３８】
すなわち、この電磁弁２０１にあっては、プランジャ２５の外周部に非磁性体からなるガイド部材２０２が配設されている。
【００３９】
このガイド部材２０２には、前記プランジャ２５に外嵌した状態で当該プランジャ２５の外周面に摺接する円筒状のガイド部２１１が形成されており、このガイド部２１１によって前記プランジャ２５を上下方向へ案内できるように構成されている。また、前記ガイド部材２０２の上部には、前記ガイド部２１１より小径の小径部２１２が形成されており、該小径部２１２は、前記ヨーク３５の磁気受渡部３６に外嵌している。当該ガイド部材２０２は、前記コア２３の端面と前記ヨーク３５の基部６１とで位置決めされた状態で、前記小径部２１２が前記コア３５の磁気受渡部３６に外嵌され固定されている。
【００４０】
前記ガイド部２１１と前記小径部２１２との間には、前記ガイド部２１１より内方へ延出する段差が形成されており、この段差によって当該ガイド部材２０２には、上動するプランジャ２５の端部が当接した際に当該プランジャ２５の上動を規制するとともに、前記ヨーク３５への磁着を防止するストッパ部２２１が一体形成されている。
【００４１】
以上の構成にかかる本実施の形態においても、第１の実施の形態と同様の効果を得ることができる。
【００４２】
【発明の効果】
以上説明したように本発明の請求項１の電磁弁にあっては、ストッパ部が一体形成されたガイド部材によって、プランジャのガイドと移動規制とを行うことができる。
【００４３】
このため、プランジャをガイドするガイド部材と、プランジャの移動を規制するストッパ部材とが別部材で構成された従来と比較して、部品点数を削減することができ、低コスト化を図ることができる。また、組み付け作業性を向上することができる。
【００４４】
そして、プランジャへ磁気を受け渡すヨークの磁気受渡部をプランジャ端面の挿入部内へ挿入することで、プランジャへの磁気の受け渡しを、当該プランジャ内部の対向面にて行うことができる。
【００４５】
これにより、ヨークの磁気受渡部がプランジャの外周部に設けられた電磁弁と比較して、直径を縮径することができる。また、ソレノイドのボビン上に配置されたリング状のヨークを、所定の肉厚以上に設定しなければならない電磁弁と比較して、磁気吸引力を落とさずに高さ寸法を小さくすることができる。
【００４６】
よって、プランジャ内部を有効利用しつつ、電磁弁の小型化を図ることができる。
【００４７】
また、本発明の請求項２の電磁弁にあっても、ストッパ部が一体形成されたガイド部材によって、プランジャのガイドと移動規制とを行うことができる。
【００４８】
このため、プランジャをガイドするガイド部材と、プランジャの移動を規制するストッパ部材とが別部材で構成された従来と比較して、部品点数を削減することができ、低コスト化を図ることができる。また、組み付け作業性を向上することができる。
【００４９】
そして、プランジャへ磁気を受け渡すヨークの磁気受渡部をプランジャ端面の挿入部内へ挿入することで、プランジャへの磁気の受け渡しを、当該プランジャ内部の対向面にて行うことができる。
【００５０】
これにより、ヨークの磁気受渡部がプランジャの外周部に設けられた電磁弁と比較して、直径を縮径することができる。また、ソレノイドのボビン上に配置されたリング状のヨークを、所定の肉厚以上に設定しなければならない電磁弁と比較して、磁気吸引力を落とさずに高さ寸法を小さくすることができる。
【００５１】
よって、プランジャ内部を有効利用しつつ、電磁弁の小型化を図ることができる。
【図面の簡単な説明】
【図１】本発明の第１の実施の形態を示す図である。
【図２】本発明の第２の実施の形態を示す図である。
【図３】従来の電磁弁を示す図である。
【符号の説明】
１    電磁弁
２４    収容空間
２５    プランジャ
３３    挿入部
３４    ガイド部材
３５    ヨーク
３６    磁気受渡部
５１    ストッパ部
６２    対向面
２０１    電磁弁
２０２    ガイド部材
２２１    ストッパ部
【図１】
2004324719.tif 000003
【図２】
2004324719.tif 000004
【図３】
2004324719.tif 000005